(57)【要約】【課題】効果的且つ適正な発光作用を備えた車室内小物入れを提供する。【解決手段】小物入れ１０は、外部光源により収容空間内を照明するようにした。収容空間を構成する筐体面の少なくとも一部を光拡散剤１％、マイカ１％とした合成樹脂材料により形成する。マイカの粒子径が３０〜５０μｍの範囲である。【選択図】図１
2010036608.tif 000002
【特許請求の範囲】
【請求項１】
外部光源により収容空間内を照明するようにした車室内小物入れであって、
前記収容空間を構成する筐体面の少なくとも一部を光拡散剤１％、マイカ１％とした合成樹脂材料により形成したことを特徴とする車室内小物入れ。
【請求項２】
前記マイカの粒子径が３０〜５０μｍの範囲であることを特徴とする請求項１に記載の車室内小物入れ。
【請求項３】
前記収容空間の底部が前記合成樹脂材料により形成されることを特徴とする請求項１又は２に記載の車室内小物入れ。
【請求項４】
前記合成樹脂材料は半透明であり、且つ前記収容空間の底部表面は無塗装であることを特徴とする請求項３に記載の車室内小物入れ。
【請求項５】
前記収容空間の底部は、その至近位置に配置された光源により照射照明されるように構成されていることを特徴とする請求項３又は４に記載の車室内小物入れ。
【発明の詳細な説明】
【技術分野】
【０００１】
本発明は、乗用車等の車両において車室内、例えば特にインストルメントパネルまわり等に装備される小物入れに関するものである。
【背景技術】
【０００２】
自動車室内には、小物入れが標準装備となっている。その設置場所は、インストルメントパネル、グローブボックスあるいはコンソールボックスと様々な場所である。しかし、夜間走行時には車室内が基本的に暗いため、小物入れに何が入っているのか、入っている小物が小物入れのどの辺りに置いてあるのか確認できないことが多い。
【０００３】
かかる問題の対応策として小物入れ周辺に専用の光源を設置することで、その不便さを解消した例は数多提供されている。ところが、専用の光源を置くことによりコストは上昇し、更に光源を設置するためには周辺部品の形状を変更する必要がある。
そこで、半透明や透明な樹脂成形品に対して、その近傍に配置されたパネル表示用の光源を利用して光らせるアイデアが提案されている。
【０００４】
【特許文献１】特許２９９３７０６号公報
【発明の開示】
【発明が解決しようとする課題】
【０００５】
しかしながら、パネル表示用の光源を利用する手法は、コストパフォーマンスや部品形状の自由度に優れるが、光量を強くすると光源の上部面だけが強く光過ぎてしまい、逆に光量を弱くすると小物入れの光る範囲が狭くなる。従って、自動車走行時に運転の妨げにならない程度の光量を照射して、小物入れ全体を淡く均一に光らせることが好ましい。
一方、マイカ粉と光拡散剤を併用した樹脂材料を用いる例も多数ある。しかしながら、特許第２９９３７０６号に代表されるようにそれらの大多数は、成形品の意匠性向上を目的としたものであり、即ち光拡散効果を向上させる用途で材料設計したものではない。
【０００６】
本発明はかかる実情に鑑み、効果的且つ適正な発光作用を備えた車室内小物入れを提供することを目的とする。
【課題を解決するための手段】
【０００７】
本発明の車室内小物入れは、外部光源により収容空間内を照明するようにした車室内小物入れであって、前記収容空間を構成する筐体面の少なくとも一部を光拡散剤１％、マイカ１％とした合成樹脂材料により形成したことを特徴とする。
【０００８】
また、本発明の車室内小物入れにおいて、前記マイカの粒子径が３０〜５０μｍの範囲であることを特徴とする。
また、本発明の車室内小物入れにおいて、前記収容空間の底部が前記合成樹脂材料により形成されることを特徴とする。
また、本発明の車室内小物入れにおいて、前記合成樹脂材料は半透明であり、且つ前記収容空間の底部表面は無塗装であることを特徴とする。
また、本発明の車室内小物入れにおいて、前記収容空間の底部は、その至近位置に配置された光源により照射照明されるように構成されていることを特徴とする。
【発明の効果】
【０００９】
本発明によれば、光拡散剤とマイカ粉を併用することで、小物入れの所定部位において一定の透過性を保ちつつ、光拡散効果を向上させる。所定の光透過性を維持したまま高い光拡散効果を発揮することで、光源により照射されると淡く均一に光り、夜間走行時等に運転の妨げにならない程度に光る小物入れを実現することができる。これにより夜間走行時に小物入れ内部の状況を明確に把握することができる。
【発明を実施するための最良の形態】
【００１０】
以下、図面に基づき本発明による車室内小物入れの好適な実施の形態を説明する。
ここで先ず、図１において本発明の実施の形態に係る車室内の主要部の構成例を説明する。なお、以下の図の要所において、矢印Ｆｒは車両前方側を、矢印Ｒｒは車両後方側をそれぞれ示す。
【００１１】
この車両１００において、運転席１０１及び助手席１０２の前方にフロントウィンドウ１０３が配設され、その手前にはダッシュボード１０４が設けられる。運転席１０１の前方のダッシュボード１０４においてインストルメントパネル１０５が配置され、その手前にステアリングホイール１０６が配設される。また、ダッシュボード１０４の上部には物品等を載置するためのトレー１０７が設定され、その下部には開閉自在の蓋を有するグローブボックス１０８が設けられる。
【００１２】
ダッシュボード１０４の略中央部からセンタコンソール１０９が下方に延設される。センタコンソール１０９は、その下端部にて運転席１０１（もしくは助手席１０２）側へ略水平に延出し、この水平部分にシフトレバー１１０が立設される。
【００１３】
センタコンソール１０９においてその上部から例えば、車室空調機（図示せず）の冷気あるいは暖気の吹出し口１１１、オーディオ機器類（図示せず）のコントロール部１１２、小物入れ１０及び車室空調機のコントロール部１１３が配設される。これらの機器類が上下に列設されることで、実質的にセンタコンソール１０９の外装面（運転席１０１側）が構成される。なお、コントロール部１１３のコントロールパネル上には冷暖房切換え、冷気／暖気の吹出し強度等を制御する制御スイッチ（類）１１４が配設されている（図３をも参照のこと）。
【００１４】
小物入れ１０の小物出入れ口１０Ａは、センタコンソール１０９の外装面に開口する。小物入れ１０は小物出入れ口１０Ａから内方（車両前方）へ奥まるように、小物を収容するための収容空間が形成される。センタコンソール１０９の外装面から凹設される小物入れ１０に対して、運転席１０１又は助手席１０２に着座した乗員は、小物出入れ口１０Ａを介して、適宜小物等を出し入れすることができる。なお、このように奥まって形成された小物入れ１０は、そのままでは内奧部が薄暗くなる。
【００１５】
図２は、小物入れ１０まわりの構成例を示している。小物入れ１０の収容空間は典型的には箱型もしくは箱状に形成され、その箱型の筐体面（実質的に図２において点線により示す領域が対応している）より周囲を囲まれる構成となっている。即ち、天井部１１、奥部１２及び左右両側部１３，１３（図１参照）は、インストルメントパネル１０５の一部によって構成される。底部１４については、別体のセンタトレー１５によって構成され、小物類はこのセンタトレー１５上に載置される。なお、以下で詳細に説明するが、センタトレー１５は図４（ａ）に示すように概略矩形の板状に形成され、光拡散性と光透過性を有する半透明樹脂材料に形成される。また、センタトレー１５の表面には塗装処理が行われていない。
【００１６】
コントロール部１１３の奥部（前方Ｆｒ側）には光源ランプ１１５が配設される。夜間等にはこの光源ランプ１１５が点灯するようになっており、コントロール部１１３（のコントロールパネル）のバック照明用光源として機能する。光源ランプ１１５の周囲、特に上方付近はコントロール部１１３のケーシングもしくはフレーム部材１１６によって覆われている。ケーシング１１６において、光源ランプ１１５の対応部位には開口窓１１７が開設される。図５にも示されるように開口窓１１７を介して、光源ランプ１１５の光の一部がセンタトレー１５に照射されるようになっている。
【００１７】
ここで、具体的構成において、光源ランプ１１５の出力は例えば４ワット、また光源ランプ１１５とセンタトレー１５の距離Ｌ（図２）は１０〜１８ｍｍ程度とする。また、光源ランプ１１５とセンタトレー１５の間に設定されるケーシング１１６の開口窓１１７につき、図４（ｂ）に示すように例えば矩形状等であってよく、その寸法Ｓ，Ｗはそれぞれ１６．５ｍｍ及び７５ｍｍ程度とする。なお、これらの具体的数値は典型的な例を示すものであり、必要に応じて適宜変更可能である。
【００１８】
上記のように本実施形態では小物入れ１０は、車室空調機のコントロール部１１３の上部に設置され、その場合、コントロール部１１３の光源ランプ１１５からの光を小物入れ１０に照射する機構とする。特にセンタトレー１５は、小物を置く部分を光らせる機能（透過性）とコントロール部１１３の内部構造を隠す機能（隠蔽性）を併せ持たせるため、半透明な材質とする。これら２つの機能を実現するために、光を拡散させる効果が高い半透明な樹脂材料を使用する。半透明な樹脂材料の光拡散性を向上させるために、先ず光拡散剤とマイカ粉を併用し、これにより光拡散剤無添加の材料や光拡散剤単独の材料と比較して光拡散性を効果的に向上させることができる。
【００１９】
本発明によれば、所定範囲内の粒子径を有したマイカ粉と光拡散剤を併用してなる樹脂材料により成形されたセンタトレー１５は、所定の光透過性を維持したまま高い光拡散効果を発揮する。光源ランプ１１５によりセンタトレー１５に照射することで、淡く均一に光り、夜間走行時等に運転の妨げにならない程度に光る小物入れ１０を実現することができる。このようにセンタトレー１５を光らせることで、夜間走行時に小物入れ１０内部の状況を明確に把握することができる。
【００２０】
また、コントロール部１１３の光源ランプ１１５の光を利用することで、コストを有効に削減することが可能である。ちなみに、小物入れ照射用の専用の光源を増設し、小物入れ周辺の部品形状も併せて変更すると、コストが余分に掛かってしまい、しかも周辺部品の形状に制約を与えてしまう。この例のように車室内において別用途で使用している光源ランプ１１５を活用することで、実質的に大幅なコスト削減を図ることができる。
【００２１】
なお、上記の場合そのままでは光源ユニットの形状や他部品との合わせの関係で、光源の位置や光源及びその照射物間の距離が限定されてしまい、それにより小物入れ１０に照射される光の照射面積や強度が大きく左右されることがある。例えば、光源が近すぎる場合には、光が充分に拡散するための距離が確保されず光の照射面積が小さくなり、小物入れ１０全体が均一に光らない。一方、光源が遠すぎる場合には、光の照射面積は大きくなるが小物入れに照射される部分以外に光が拡散してしまい、照射される光の強度は全体として弱くなる。このため特に夜間走行時等に小物入れ１０の内部状況を明確に把握するのが難しくなる。
【００２２】
そこで、本発明において上述のように光拡散剤とマイカ粉を併用することで、センタトレー１５は一定の透過性を保ちつつ、光拡散効果を向上させる。結果として具体的数値で示すと、光の拡散透過率（Ｔｄ）が例えば６．１から６．７と約１０％増大し、光の照射面積が約５１ｃｍ2から約６０ｃｍ2と約１５％増大することで、図４（ａ）に示される照射範囲Ｂのようにより広い範囲で、小物入れ１０を淡く均一に光らせることができる。
【００２３】
次に、本発明を更に具体的に説明する。前述のように本発明では光拡散剤とマイカ粉を添加した樹脂材料を用いるが、この実施形態で用いた樹脂材料の例を下記に示す。
樹脂材料：ポリプロピレン「ＭＡ３ＵＤ」（日本ポリプロ（株）製）
マイカ粉：「マグナパール５０００」（ＢＡＳＦジャパン（株）製）
光拡散剤：「ルミナパールＤＳＮ−５」（根本特殊化学（株）製）
【００２４】
センタトレー１５の樹脂材料としては透過性と隠蔽性を確保するために、成形品の肉厚に左右されるが、ここでは平板３ｍｍにて顔料のみを添加した時の全光線透過率（Ｔｔ）５．０〜１０．０％の範囲内とする。光拡散剤は、炭酸カルシウムを主成分とした一般的な市販品を使用することができる。光線透過率や拡散透過率は、炭酸カルシウムのアスペクト比が大きく影響し、市販品は何れも類似のアスペクト比を持ったものを使用しているため、製造元や品名グレードの違いが光線透過率や拡散透過率に与える影響はほとんどない。なお、全光線透過率は、拡散透過率と平行光線透過率の和（合計）で与えられる。
【００２５】
表１は、光拡散剤とマイカ粉の添加量と配合比を調整した測定試料を示している。ベースとして使用した樹脂材料の顔料濃度は一定とした。全光線透過率５．０〜１０．０％の範囲内である時、顔料濃度による影響は全光線透過率が５．０％と１０．０％で僅かしか差異がないため、ベース樹脂材料が顔料濃度による与える影響はほとんどない。マイカ粉の粒子径は４０μｍである。
【００２６】
【表１】
2010036608.tif 000003
【００２７】
図６は、表１に示した測定資料の拡散透過率を示している。なお、表１において顔料濃度は全て同一とし、顔料のみの全光線透過率は平板３ｍｍの場合６．３７である。光拡散効果は、ＪＩＳＫ７１３６,Ｋ７３６１に表記されている光線透過率測定機（ヘーズコンピューター）の拡散透過率（Ｔｄ）を指標とした。図６から分かるように、光拡散剤とマイカ粉をそれぞれ重量１．０％添加した材料Ｅは、添加剤無しの材料Ａや１種類の添加剤のみの材料Ｂ，Ｃ，Ｄと比較して、光線透過率が約１０％以上向上している。
【００２８】
ここで、図７は光拡散剤とマイカ粉を併用した効果の概要を示している。光拡散剤を添加すると光を拡散するものの乱反射する効果が高いため、結果的に拡散後、成形品意匠面側へ透過する光は減少する（図７（Ａ））。なお、この実施形態ではセンタトレー１５の小物入れ１０の収容空間側の面が成形品意匠面となり、光源ランプ１１５側が成形品裏面となる。また、光拡散剤とマイカ粉を一定の割合で併用すると、光拡散剤が拡散した光がマイカ粉で更に拡散され（その逆、即ちマイカ粉が拡散した光が光拡散剤で更に拡散され）、結果的に成形品意匠面側へ拡散透過する光が増大すると考えられる（図７（Ｂ））。
【００２９】
次に、光拡散剤の量を重量１．０％に固定し、マイカ粉の量を変化させた時の光線透過率測定結果を表２に示す。なお、表２において顔料濃度は全て同一とし、顔料のみの全光線透過率は平板３ｍｍの場合６．３７である。光拡散剤の量は重量２．０％以上であると全体の光線透過量が著しく低下するため、重量１．０％に固定した。また、マイカ粉は重量０．０〜２．０％の間で添加量を０．５％刻みに調整した。重量２．０％を越えると、ウエルドライン等の外観不具合が発生し易くなる。なお、マイカ粉の粒子径は４０μｍに固定した。
【００３０】
【表２】
2010036608.tif 000004
【００３１】
図８は、マイカ粉の添加量と拡散透過率の関係を示している。図８から分かるように、マイカ粉を重量１．０％添加で光拡散効果が向上し、無添加の材料や光拡散剤単独の材料よりも優れている。
【００３２】
マイカ粉の粒子径が光拡散効果に及ぼす影響を検証した結果を図９に示す。なお、実験に使用した試料は表３のように材料処方を行った。なお、表３において顔料濃度は全て同一とし、顔料のみの全光線透過率は平板３ｍｍの場合６．３７である。マイカ粉と光拡散剤の含有量はそれぞれ１．０重量％に固定した。粒子径については、２０μｍ未満であるとウエルドラインが発生し易くなり、逆に粒子径が大きくなると表面光沢が落ちる。そのため粒子径は２０，４０，８０μｍのマイカ粉に限定して試験を実施した。
【００３３】
【表３】
2010036608.tif 000005
【００３４】
図９から分かるように、マイカ粉の粒子径が４０μｍの時に光拡散効果が高いことが判明し、２０μｍよりも８０μｍが優れている。但し、６０μｍ以上であると表面光沢が低下するため、自動車室内に求められる意匠性を達成することが難しく、意匠性低下が顕著となる。
【００３５】
上記の結果から粒子径３０〜５０μｍのマイカ粉１．０±０．２重量％及び光拡散剤１．０±０．２重量％を配合した半透明樹脂材料が、一定量の透過性を維持しながら光拡散効果が添加剤無しの材料やどちらか片方添加した材料と比較して向上した。本実施形態の小物入れ１０では光の照射面積が約５１ｃｍ2から約６０ｃｍ2と約１５％向上し、全体が淡く均一に光るものを実現することができた。
【００３６】
上記実施形態において車室内の小物入れ１０を説明した。その場合、小物入れ１０の収容空間の特に底部１４、即ちセンタトレー１５に本発明を適用した例としたが、収容空間の底部に限らず、必要に応じてその他の部位に適用することもできる。
【００３７】
また、本発明はその他に自動車の車室内に使用しているスピードメーターや室内灯などの光源を活用して、光るカップホルダー、グローブボックス、コンソールボックス、インストルメントパネルガーニッシュ、シフトレバーガーニッシュ等に対しても同様に適用可能であり、その適用の効果として利便性の向上だけでなく意匠性向上を図ることができる。
更に、加飾を目的として光る内装部品としても適用可能であり、また車室内の意匠性向上のため加飾の目的で光らせていた部品に関しても、光源の点数の増加や特殊な光照射形態を持った部品を追加することなく、簡素な形態で目的の部品を作製できる。
【００３８】
以上、本発明を種々の実施形態と共に説明したが、本発明はこれらの実施形態にのみ限定されるものではなく、本発明の範囲内で変更等が可能である。
特に上記実施形態において説明した具体的な数値等は、本発明の例を示すものであり、これらの数値にのみ限定されるものではない。
【図面の簡単な説明】
【００３９】
【図１】本発明の実施形態における車室内の主要部の構成例を説明するための図である。
【図２】本発明の実施形態における小物入れまわりの構成例を示す、図１のＡ−Ａ線に沿う断面図である。
【図３】本発明の実施形態における小物入れまわりの構成例を示す斜視図である。
【図４】本発明の実施形態における小物入れ底部の光照射範囲と光源用開口窓の例を示す図である。
【図５】本発明の実施形態における小物入れに対する照射光の作用を示す図である。
【図６】本発明の実施形態における測定資料の拡散透過率の例を示す図である。
【図７】本発明の実施形態における光拡散剤とマイカ粉を併用した効果を示す図である。
【図８】本発明の実施形態におけるマイカ粉の添加量と拡散透過率の関係を示す図である。
【図９】本発明の実施形態におけるマイカ粉の粒子径と拡散透過率の関係を示す図である。
【符号の説明】
【００４０】
１０  小物入れ
１１  天井部
１２  奥部
１３  側部
１５  センタトレー
１００  車両
１０１  運転席
１０２  助手席
１０３  フロントウィンドウ
１０４  ダッシュボード
１０５  インストルメントパネル
１０７  トレー
１０９  センタコンソール
１１３  コントロール部
【図１】
2010036608.tif 000006
【図２】
2010036608.tif 000007
【図３】
2010036608.tif 000008
【図４】
2010036608.tif 000009
【図５】
2010036608.tif 000010
【図６】
2010036608.tif 000011
【図７】
2010036608.tif 000012
【図８】
2010036608.tif 000013
【図９】
2010036608.tif 000014